(57)【要約】      （修正有）【課題】軟包装材に液体用容器を収納する、良好な改ざん防止機能を備えた容器パッケージを提供する。【解決手段】液体を充填する本体部２及び本体部２に取り付ける蓋部３を有し、本体部２および蓋部３がこれら本体部２および蓋部３とは異なる部材４で固定された液体用容器１と、液体用容器１を収納する軟包装材５とを備えている。部材４の存在により、本体部と蓋部との間で生じる通常の閉じる力に対してさらに部材４による閉じる力を加えることができ、改ざん防止機能が良好となる。【選択図】図４
0003183973.tif 000002
【実用新案登録請求の範囲】
【請求項１】
液体を充填する本体部及び当該本体部に取り付ける蓋部を有し、前記本体部および前記蓋部がこれら本体部および蓋部とは異なる部材で固定された液体用容器と、
当該液体用容器を収納する軟包装材とを備えた容器パッケージ。
【請求項２】
前記異なる部材が、シュリンクラベル、ストレッチラベル、紙スリーブまたはシールラベルである請求項１に記載の容器パッケージ。
【請求項３】
前記軟包装材がパウチであり、前記液体用容器が点眼容器である請求項１または２に記載の容器パッケージ。
【請求項４】
前記パウチが、積層フィルムから構成される請求項３に記載の容器パッケージ。
【請求項５】
前記軟包装材が、吊り下げ用の孔部を備えている請求項１から４の何れか一項に記載の容器パッケージ。
【請求項６】
前記軟包装材の底部にマチ部を備えている請求項１から５の何れか一項に記載の容器パッケージ。
【考案の詳細な説明】
【技術分野】
【０００１】
本考案は、本体部及び蓋部を有する液体用容器と、液体用容器を収納する軟包装材と、を備えた容器パッケージに関する。
【背景技術】
【０００２】
従来、点眼容器などの液体用容器は各種包装が施されて販売されている。例えば、点眼容器の場合は、点眼容器を紙箱に収納し、その紙箱の外側をさらにシュリンクラベル等で巻装した状態で販売するのが一般的である。
【０００３】
また、チャック機能と蒸散防止機能とを備えた携帯用の袋に点眼容器を収納し、これらのパッケージをさらに紙箱に収納して販売する形態も知られている（例えば、特許文献１の図２参照）。
【０００４】
上記紙箱は、殆どの場合、開封後に廃棄されるので、資源の無駄が生じてしまう。
【先行技術文献】
【特許文献】
【０００５】
【特許文献１】特開２００８−１４８８５２号公報
【考案の概要】
【考案が解決しようとする課題】
【０００６】
この資源の無駄を解消するために、例えば、紙箱を使用せず点眼容器を上記携帯用の袋に収納しただけの状態で販売すれば、製造コストを削減することが可能となる。
【０００７】
しかしながら、液体用容器を収納する袋等は軟質素材で構成されているため、販売時に袋の外部から液体用容器の蓋部が操作され、開栓されるおそれが生じる。この袋をさらにシュリンクラベルで巻装して、シュリンクラベルの破断跡によって不正操作の痕跡を視認できるようにすることも考えられるが、そもそも袋は軟らかい材質でできているためその外側にシュリンクラベルを巻装するのは困難である。
そこで上記背景に鑑み、本考案は、軟包装材に液体用容器を収納する、改ざん防止機能を備えた容器パッケージを提供することを目的とする。
【課題を解決するための手段】
【０００８】
本考案に係る容器パッケージの特徴構成は、液体を充填する本体部及び当該本体部に取り付ける蓋部を有し、前記本体部および前記蓋部がこれら本体部および蓋部とは異なる部材で固定された液体用容器と、当該液体用容器を収納する軟包装材とを組み合わせた点にある。
【０００９】
本構成のように本体部と蓋部とをこれらとは異なる部材で固定することで、本体部と蓋部との間で生じる通常の閉じ力に対してさらに当該別部材による閉じ力を加えることができる。よって、軟包装材の外部から力を加えても蓋部を回転させることが極めて困難となり、液体用容器の改ざん防止機能が良好なものとなる。
【００１０】
また、本考案の容器パッケージとすることで、販売時の陳列形態の自由度が高まるうえ、変形自在であるため製品搬送時などには小さく折り畳んでコンパクトに梱包できるなど利便性が高いものとなる。
【００１１】
本考案の容器パッケージにあっては、前記本体部および前記蓋部の固定が、シュリンクラベル、ストレッチラベル、紙スリーブまたはシールラベルを巻装または貼付することにより行われていると好適である。
【００１２】
本構成のように、シュリンクラベル、ストレッチラベル等で本体部と蓋部とを巻装又は貼付することで、両者を強く固定して外部から液体用容器を開封できなくすることができる。また、これらシュリンクラベル等で巻装又は貼付して固定する場合であっても、液体用容器のサイズが過大となることはなく、その後の軟包装材による包装にも悪影響を及ぼさない。さらに、万一外部から開封された場合でも、シュリンクラベル等の破断跡によって、不正操作が行われた痕跡が残る利点もある。
【００１３】
本考案の容器パッケージにあっては、前記軟包装材がパウチであり、前記液体用容器が点眼容器であると好適である。
【００１４】
パウチは一般的に樹脂フィルムで成形されており、熱加工により様々な形態の包装が可能である。よって、本構成のように点眼容器を包装する場合でも、効率的な容器パッケージを得ることができる。
【００１５】
本考案の容器パッケージにあっては、前記軟包装材は単層フィルムで構成しても差し支えないが、積層フィルムを用いるのが好適である。
【００１６】
軟包装材として積層フィルムを用いれば、強度・柔軟性・遮光性・透明性など任意の物性に応じて最適な容器パッケージを製造することができる。
【００１７】
本考案の容器パッケージにあっては、前記軟包装材が吊り下げ用の孔部を備えていると好適である。
【００１８】
本構成のように容器パッケージに孔部を備えることで、例えばフックなどに引っ掛けて商品を吊り下げることができる。よって、商品陳列の自由度が広がり販売促進効果を高めることができる。
【００１９】
本考案の容器パッケージにあっては、前記軟包装材の底部にマチ部を備えていると好適である。
【００２０】
本構成によると、マチ部を設けることによって容器パッケージを自立させることができ、横置きだけでなく縦置きが可能となるので、商品陳列形態における選択の幅が広がる。また、軟包装材を点眼容器の携帯用容器等として使用する場合にも立てた状態で机、台、棚等の上に置くことが可能となり、使用時の利便性を高めることができる。
【図面の簡単な説明】
【００２１】
【図１】本実施形態に係る液体用容器の側面図である。
【図２】別実施形態に係る液体用容器の側面図である。
【図３】本実施形態に係るパウチの正面図である。
【図４】本実施形態に係る容器パッケージの斜視図である。
【図５】別実施形態に係る容器パッケージの正面図である。
【考案を実施するための形態】
【００２２】
以下に、本考案に係る容器パッケージＡの実施形態を図面に基づいて説明する。
本実施形態では、容器パッケージＡの一例として、液体用容器の一つである点眼容器１を軟包装材の一つであるパウチ５に収納した例を説明する。なお、以下の実施形態に限定されることはなく、その要旨を逸脱しない範囲内で種々の変形が可能である。
【００２３】
図１、２には点眼容器１の側面図、図３にはパウチ５の正面図、図４には容器パッケージＡの斜視図が示される。
本実施形態における容器パッケージＡは、点眼液（液体の一例）を充填する本体部２及び本体部２に取り付ける蓋部３を有する点眼容器１と、点眼容器１を収納するパウチ５とを備えている。
パウチ５は、柔軟性のあるフィルムであれば特に限定されないが、例えばポリエチレンテレフタレートフィルム 、ナイロンフィルム 、ポリプロピレンフィルム、アルミ蒸着フィルム、アルミ箔などが挙げられる。
また、パウチ５は、これらのフィルムを組合せた積層フィルムとすることが好適であり、これらのフィルムは熱溶着や接着剤などで積層される。また、ナイロンフィルムなどにアルミナを蒸着させたアルミ蒸着フィルムは優れた遮光性を発揮する。このようにパウチ５を積層フィルムで構成することで、各種機能を備えたパウチ５を得ることができる。
【００２４】
図１に示すように、点眼容器１はシュリンクラベル４が巻装され、蓋部３を本体部２に取り付けた状態で固定される。具体的には、点眼容器１を樹脂フィルムで覆い、加熱収縮させて点眼容器１を強く保持被覆している。すなわち、本体部２と蓋部３とを固定するとは、容器パッケージＡの外部から力を加えても、蓋部３を本体部２に対して回転させることができなくなる状態をいう。
従って、容器パッケージＡの商品陳列時に、蓋部３が本体部２に固定された元の状態から、蓋部３が緩んだ状態又は開封状態に改ざんされるといったことが防止できる。
なお、点眼容器１の巻装はシュリンクラベル４に限定されるものではなく、ストレッチラベルまたは紙スリーブで巻装したり、シールラベルを貼付けたりしても良い。
【００２５】
また、シュリンクラベル４は、破断線４１を有しており、点眼容器１の使用時には、つまみ部４２を挟持してシュリンクラベル４を剥がし、点眼容器１を開閉する。逆に、破断線４１を破断しない限り、点眼容器１を使用することができない。すなわち、パウチ５の外部からは点眼容器１を開閉できないのみならず、破断線４１が破断されると不正操作の痕跡として残る。このようにシュリンクラベル４は改ざん防止としての機能を有する。
なお、破断線４１は、図１に示すように上下方向に限定されず、左右方向や斜め方向に形成しても良いし、つまみ部４２がなくても良い。
【００２６】
図２に示すように、パウチ５に点眼容器１を収納する場合には、シュリンクラベル４を２本の点眼容器に巻装して本体部２と蓋部３とを固定することもできる。
【００２７】
図３に示すように、パウチ５は、一辺に設けた開閉用のチャック部５１と、底部にマチ部５２と、初期開封用の切込み部５３と、吊り下げ用の孔部５５とを有する。
なお、マチ部５２の形状は、長円弧状や角形状など特に限定されない。また、側部にマチ付けした横ガゼット式のものでも良いし、パウチ５にマチ部５２を設けない非自立式の平袋でも良い。
【００２８】
図４に、シュリンクラベル４を巻装した点眼容器１を、パウチ５に収納した状態を示す。
【００２９】
本実施形態におけるパウチ５は、チャック付スタンディングパウチである。
パウチ５は、チャック部５１を有しているので、切込み部５３を開封した後においても、点眼容器１を密封することができる。このため、パウチ５に点眼容器１を確実に収納した状態で持ち運ぶことができると共に、蓋部３が緩んだ場合でも点眼液がパウチ５の外部に漏れ出さない。
パウチ５の高さ・幅・奥行きの寸法は特に制限されないが、点眼容器１が内部で転がることのない寸法に設定するのが好適である。
【００３０】
また、パウチ５はマチ部５２を有しているので、容器パッケージＡを直立させた状態で陳列することができる。このため、パウチ５の正面に表示される商品名などが確認し易くなる。また、開封後の使用に際しても机上面などに載置して保管することができ使用の利便性が高まる。
さらに、陳列性の観点から、パウチ５には孔部５５を設けている。これにより容器パッケージＡをフック（不図示）などに吊り下げることで商品陳列の形態を多様化することができる。
【００３１】
［その他の実施形態］
（１）図５に示すように、パウチ５の一部に、特に、点眼容器１を収納したときに本体部２及び蓋部３の境界部が位置する部位に、透明部材で形成した窓部５６を備えても良い。
この場合、万が一、パウチ５に大きな外力が加えられ、点眼容器１が改ざんされた場合でも、不正操作の痕跡を確認し易い。さらに、パウチ５の正面全域を透明部材で形成しても良い。
（２）上記実施形態では、軟包装材の一例としてパウチ５を示したが、三方向または四方向が接着された三方シール若しくは四方シール包装袋、ピロー包装袋やガゼットピロー包装袋などの軟らかいフィルムから構成された包装材であれば、特に限定されない。
（３）上記実施形態では、図１に示すように、点眼容器１の一部にシュリンクラベル４を巻装しているが、全体にシュリンクラベル４が巻装される形態や、天面や底部にシュリンクラベル４が跨る形態としても良い。この場合、シュリンクラベル４が点眼容器１に広範囲で密着するので、改ざん防止機能がより一層高まる。
（４）上記実施形態では、図２に示すように、二つ以上の点眼容器１を纏めてシュリンクラベル４で巻装してパウチ５に収納しても良い。
（５）上記実施形態では、図３に示すように、孔部５５を一つの円形状に形成しているが、楕円状や矩形状に形成しても良いし、孔部５５を二つ以上設けても良い。
【産業上の利用可能性】
【００３２】
本考案は、点眼薬・点鼻薬・コンタクトレンズ洗浄液などを充填した液体用容器を軟包装材に収納した容器パッケージとして利用できる。
【符号の説明】
【００３３】
Ａ    容器パッケージ
１    点眼容器（液体用容器）
２    本体部
３    蓋部
４    シュリンクラベル
５    パウチ（軟包装材）
５２  マチ部
５５  孔部
【図１】
0003183973.tif 000003
【図２】
0003183973.tif 000004
【図３】
0003183973.tif 000005
【図４】
0003183973.tif 000006
【図５】
0003183973.tif 000007